(57)【要約】【課題】複数の異なる通信パスを有する赤外線通信装置において、相手との間で通信可能な通信パスを自動的に選択して通信を行うことを可能にする。【解決手段】開示される赤外線通信装置は、切替素子８ａを経て変調制御部４からの送信データによって発光素子１から光信号を送出して、復調制御部５で受光素子２からの受信データで受信待ちし、切替素子８ｂを経て受光素子３からの受信データによって復調制御部７でも受信待ちする。そして、復調制御部５で応答があったときは、変調制御部４，復調制御部５による第１の通信パスによって通信を継続し、復調制御部５で応答がなく復調制御部７で受信データを検出したときは、切替素子８ａで変調制御部６を発光素子１に接続するとともに、切替素子８ｂを経て受光素子２を復調制御部７に接続して、変調制御部６，復調制御部７による第２の通信パスによって通信を行うように構成されている。【選択図】　　　図１
2004023116.tif 000002
【特許請求の範囲】
【請求項１】
送信信号を変調して第１の通信パスの送信データを生成する第１の変調制御手段と、送信信号を変調して第２の通信パスの送信データを生成する第２の変調制御手段と、前記第１の変調制御手段と第２の変調制御手段からの送信データを切り替える第１の切替手段と、該第１の切替手段からの送信データによって光信号を送出する発光手段と、光信号を受信する第１及び第２の受光手段と、前記第１の受光手段からの受信データを復調して前記第１の通信パスの受信信号を生成する第１の復調制御手段と、前記第１の受光手段からの受信データと前記第２の受光手段からの受信データとを切り替える第２の切替手段と、該第２の切替手段からの受信データによって前記第２の通信パスの受信信号を生成する第２の復調制御手段とを備え、
最初、前記第１の切替手段を介して第１の変調制御手段からの第１の通信パスの送信データによって光信号を送出して、前記第１の復調制御手段において第１の受光手段からの受信データによって受信待ちを行うとともに、前記第２の切替手段を介して前記第２の受光手段からの受信データによって前記第２の復調制御手段においても受信待ちを行い、前記第１の復調制御手段において通信相手からの応答があったときは、前記第１の通信パスによって通信を継続し、前記第１の復調制御手段において応答がなく前記第２の復調制御手段において受信データを検出したときは、前記第１の切替手段を介して第２の変調制御手段を発光手段に接続するとともに、前記第２の切替手段を介して第１の受光手段を前記第２の復調制御手段に接続して第２の通信パスによる通信を行うことを特徴とする赤外線通信装置。
【請求項２】
前記第１の通信パスが第１の変復調方式による通信パスであり、前記第２の通信パスが第２の変復調方式による通信パスであることを特徴とする請求項１記載の赤外線通信装置。
【請求項３】
前記第１の通信パスが第１の符号形式の符号分割通信方式による通信パスであり、前記第２の通信パスが第２の符号形式の符号分割通信方式による通信パスであることを特徴とする請求項１記載の赤外線通信装置。
【請求項４】
送信信号を変調して第１乃至第Ｎ（Ｎは自然数）の通信パスの送信データを生成する第１乃至第Ｎの変調制御手段と、前記第２乃至第Ｎの変調制御手段からの送信データを切り替える第１の切替手段と、前記第１の変調制御手段と前記第１の切替手段からの送信データを切り替える第２の切替手段と、該第２の切替手段からの送信データによって光信号を送出する発光手段と、光信号を受信する第１及び第２の受光手段と、前記第１の受光手段からの受信データを復調して前記第１の通信パスの受信信号を生成する第１の復調制御手段と、前記第１の受光手段からの受信データと前記第２の受光手段からの受信データとを切り替える第３の切替手段と、該第３の切替手段からの受信データを第２乃至第Ｎの復調制御手段に切り替える第４の切替手段と、該第４の切替手段からの受信データによって前記第２乃至第Ｎの通信パスの受信信号を生成する第２乃至第Ｎの復調制御手段とを備え、
最初、前記第２の切替手段を介して第１の変調制御手段からの第１の通信パスの送信データによって光信号を送出して、前記第１の復調制御手段において第１の受光手段からの受信データによって受信待ちを行うとともに、前記第３の切替手段からの受信データを前記第４の切替手段によって順次切り替えることによって前記第２乃至第Ｎの復調制御手段において受信待ちを行い、前記第１の復調制御手段において通信相手からの応答があったときは、前記第１の通信パスによって通信を継続し、前記第１の復調制御手段において応答がなく前記第２乃至第Ｎのいずれかの復調制御手段において受信データを検出したときは、前記第１の切替手段及び第２の切替手段を介して前記受信データを検出した通信パスに対応する変調制御手段を発光手段に接続するとともに、前記第３の切替手段及び第４の切替手段を介して第１の受光手段を前記受信データを検出した通信パスに対応する復調制御手段に接続して当該通信パスによる通信を行うことを特徴とする赤外線通信装置。
【請求項５】
前記第１乃至第Ｎの通信パスが、それぞれ第１乃至第Ｎの変復調方式による通信パスであることを特徴とする請求項４記載の赤外線通信装置。
【請求項６】
前記第１乃至第Ｎの通信パスが、それぞれ第１乃至第Ｎの符号形式の符号分割通信方式による通信パスであることを特徴とする請求項４記載の赤外線通信装置。
【請求項７】
前記発光手段と第２の受光手段との間に遮光構造手段を備えたことを特徴とする請求項１乃至６のいずれか一に記載の赤外線通信装置。
【発明の詳細な説明】
【０００１】
【発明の属する技術分野】
この発明は、複数の異なる変復調方式から、相手側の変復調方式と一致する方式を自動的に選択して通信を行う赤外線通信装置に関する。
【０００２】
【従来の技術】
赤外線通信装置においては、所定の変調方式で変調された電気信号を発光素子に加えることによって、変調赤外線信号を生成して相手側に送信し、相手側で受光素子を介して受信した変調赤外線信号を、送信側の変調方式に対応する復調方式で復調することによって受信信号を生成する。
そのため、複数の異なる変復調方式を有する赤外線通信装置が通信を行う場合には、予め通信相手の変復調方式に合わせた受信変復調制御状態に設定しておく必要があり、もしも相手側の持つ変復調方式が送信側と異なる有する場合には、通信を行うことができない。
そこで、複数の異なる変復調方式を有する赤外線通信装置の場合は、予め、相手側の変復調方式と合わせた変復調赤外線状態に設定しておく必要があるが、相手側が複数の変復調方式のうちのどの方式を有するか不明な場合には、変復調方式の設定を行うことができず、従って、通信を行うことができなかった。
【０００３】
【発明が解決しようとする課題】
このように、複数の変復調方式を持ち、任意の変復調方式を選択可能な赤外線通信装置の場合、相手側の変復調方式を知らなければ、通信を行うことができないという問題があった。
この発明は上述の事情に鑑みてなされたものであって、複数の異なる変復調方式を有する赤外線通信装置が通信を行う際に、相手側の変復調調方式を知らなくても通信を行うことが可能な、赤外線通信装置を提供することを目的としている。
【０００４】
【課題を解決するための手段】
上記課題を解決するため、請求項１記載の発明は赤外線通信装置に係り、送信信号を変調して第１の通信パスの送信データを生成する第１の変調制御手段と、送信信号を変調して第２の通信パスの送信データを生成する第２の変調制御手段と、上記第１の変調制御手段と第２の変調制御手段からの送信データを切り替える第１の切替手段と、該第１の切替手段からの送信データによって光信号を送出する発光手段と、光信号を受信する第１及び第２の受光手段と、上記第１の受光手段からの受信データを復調して上記第１の通信パスの受信信号を生成する第１の復調制御手段と、上記第１の受光手段からの受信データと上記第２の受光手段からの受信データとを切り替える第２の切替手段と、該第２の切替手段からの受信データによって上記第２の通信パスの受信信号を生成する第２の復調制御手段とを備え、
最初、上記第１の切替手段を介して第１の変調制御手段からの第１の通信パスの送信データによって光信号を送出して、上記第１の復調制御手段において第１の受光手段からの受信データによって受信待ちを行うとともに、上記第２の切替手段を介して上記第２の受光手段からの受信データによって上記第２の復調制御手段においても受信待ちを行い、上記第１の復調制御手段において通信相手からの応答があったときは、上記第１の通信パスによって通信を継続し、上記第１の復調制御手段において応答がなく上記第２の復調制御手段において受信データを検出したときは、上記第１の切替手段を介して第２の変調制御手段を発光手段に接続するとともに、上記第２の切替手段を介して第１の受光手段を上記第２の復調制御手段に接続して第２の通信パスによる通信を行うことを特徴としている。
【０００５】
また、請求項２記載の発明は、請求項１記載の赤外線通信装置に係り、上記第１の通信パスが第１の変復調方式による通信パスであり、上記第２の通信パスが第２の変復調方式による通信パスであることを特徴としている。
【０００６】
また、請求項３記載の発明は、請求項１記載の赤外線通信装置に係り、上記第１の通信パスが第１の符号形式の符号分割通信方式による通信パスであり、上記第２の通信パスが第２の符号形式の符号分割通信方式による通信パスであることを特徴としている。
【０００７】
また、請求項４記載の発明は、赤外線通信装置に係り、送信信号を変調して第１乃至第Ｎ（Ｎは自然数）の通信パスの送信データを生成する第１乃至第Ｎの変調制御手段と、上記第２乃至第Ｎの変調制御手段からの送信データを切り替える第１の切替手段と、上記第１の変調制御手段と上記第１の切替手段からの送信データを切り替える第２の切替手段と、該第２の切替手段からの送信データによって光信号を送出する発光手段と、光信号を受信する第１及び第２の受光手段と、上記第１の受光手段からの受信データを復調して上記第１の通信パスの受信信号を生成する第１の復調制御手段と、上記第１の受光手段からの受信データと上記第２の受光手段からの受信データとを切り替える第３の切替手段と、該第３の切替手段からの受信データを第２乃至第Ｎの復調制御手段に切り替える第４の切替手段と、該第４の切替手段からの受信データによって上記第２乃至第Ｎの通信パスの受信信号を生成する第２乃至第Ｎの復調制御手段とを備え、
最初、上記第２の切替手段を介して第１の変調制御手段からの第１の通信パスの送信データによって光信号を送出して、上記第１の復調制御手段において第１の受光手段からの受信データによって受信待ちを行うとともに、上記第３の切替手段からの受信データを上記第４の切替手段によって順次切り替えることによって上記第２乃至第Ｎの復調制御手段において受信待ちを行い、上記第１の復調制御手段において通信相手からの応答があったときは、上記第１の通信パスによって通信を継続し、上記第１の復調制御手段において応答がなく上記第２乃至第Ｎのいずれかの復調制御手段において受信データを検出したときは、上記第１の切替手段及び第２の切替手段を介して上記受信データを検出した通信パスに対応する変調制御手段を発光手段に接続するとともに、上記第３の切替手段及び第４の切替手段を介して第１の受光手段を上記受信データを検出した通信パスに対応する復調制御手段に接続して当該通信パスによる通信を行うことを特徴としている。
【０００８】
また、請求項５記載の発明は、請求項４記載の赤外線通信装置に係り、上記第１乃至第Ｎの通信パスが、それぞれ第１乃至第Ｎの変復調方式による通信パスであることを特徴としている。
【０００９】
また、請求項６記載の発明は、請求項４記載の赤外線通信装置に係り、上記第１乃至第Ｎの通信パスが、それぞれ第１乃至第Ｎの符号形式の符号分割通信方式による通信パスであることを特徴としている。
【００１０】
また、請求項７記載の発明は、請求項１乃至６のいずれか一に記載の赤外線通信装置に係り、上記発光手段と第２の受光手段との間に遮光構造手段を備えたことを特徴としている。
【００１１】
【発明の実施の形態】
以下、図面を参照して、この発明の実施の形態について説明する。説明は、実施例を用いて具体的に行う。
◇第１実施例
図１は、この発明の第１実施例である赤外線通信装置の構成を示すブロック図である。
この例の赤外線通信装置は、図１に示すように、発光素子１と、受光素子２と、受光素子３と、変調制御部４と、復調制御部５と、変調制御部６と、復調制御部７と、切替制御部８と、遮光構造部９とから概略構成されている。切替制御部８は、切替素子８ａ，８ｂを有している。
【００１２】
発光素子１は、切替素子８ａからの送信データによって変調された赤外線信号を発生する。受光素子２は、相手装置から赤外線信号を受光して、電気信号からなる受信データを生成する。受光素子３は、遮光構造部９で物理的に発光素子１からの赤外線を遮蔽されていて、相手装置からの赤外線信号を受光して、電気信号からなる受信データを生成する。変調制御部４は、送信信号に応じて、発光素子１を駆動するための第１の送信データを生成する。復調制御部５は、受光素子２からの受信データを復調して、受信信号１を生成する。
【００１３】
変調制御部６は、送信信号に応じて、発光素子１を駆動するための第２の送信データを生成する。復調制御部７は、切替素子８ｂからの受信データを復調して受信信号２を生成する。切替制御部８において、切替素子８ａは、制御信号の　”０”，　”１”に応じて、変調制御部４又は６からの送信データを切り替えて、発光素子１へ供給し、切替素子８ｂは、切替制御信号の　”０”，　”１”に応じて、受光素子３又は２からの受信データを切り替えて、復調制御部７へ供給する。遮光構造部９は、発光素子１からの赤外線信号が受光素子３において受光されないように、物理的に遮蔽する。
【００１４】
以下、図１を参照して、この例の赤外線通信装置の動作を説明する。
図１に示された赤外線通信装置において、変調制御部４と復調制御部５とは第１の通信パスを形成するための第１の同じ変復調方式を有し、変調制御部６と復調制御部７とは第２の通信パスを形成するための第２の同じ変復調方式を有していて、赤外線通信装置は、第１の通信パスと第２の通信パスのいずれによっても通信可能なものとする。
切替制御部８においては、最初、図示されない制御部からの切替制御信号によって、切替素子８ａ，８ｂが　”０”の状態になるように設定されている。
【００１５】
この設定状態では、変調制御部４で送信信号を変調して送信データに変換して、切替素子８ａを経て発光素子１に供給して赤外線信号を送出し、受光素子２で受光した受信データを復調制御部５で復調するとともに、受光素子３で受光した受信データを復調制御部７で復調する状態となる。
従って、最初、赤外線通信装置は、送信信号によって、通信しようとする相手との接続を行うための、第１の変復調方式の送信データを定期的に送信し、第１の変復調方式の受信データによる受信信号１によって、通信しようとする相手からの応答を待っているとともに、第２の変復調方式の受信データによる受信信号２によっても受信待ちをしている。
【００１６】
なお、この状態では、発光素子１からの赤外線信号は遮光構造部９で遮断されるので、発光素子１からの第１の変復調方式の赤外線信号が受光素子３に漏洩して、受信待ちしている第２の変復調方式の赤外線信号と干渉するために、復調制御部７において、雑音等の妨害が発生する恐れはない。
このとき、受光素子２で受光した受信データによって、復調制御部５で通信しようとする相手からの受信信号１が得られたときは、図示されない制御部は、変調制御部４，復調制御部５と同じ第１の変復調方式を持つ、通信しようとする相手である赤外線通信装置が通信圏内に存在するものと認識して、以後、この設定状態で通信を継続する。
【００１７】
一方、この状態で、受信信号１は得られないが、受光素子３で受光した受信データによって、復調制御部７で復調を行った結果、受信信号２が得られたときは、図示されない制御部は、通信相手である赤外線通信装置が通信圏内に存在するが、設定状態とは異なる第２の変復調方式を持つ赤外線通信装置であることを認識して、切替制御信号によって、切替素子８ａ，８ｂが　”１”の状態になるように切り替えを行う。
これによって、赤外線通信装置は、送信信号を変調制御部６で送信データに変換して発光素子１に供給して赤外線信号を送出し、受光素子２で受光した受信データを復調制御部７で復調して受信信号２を得る状態に設定を変更して、以後、この状態で通信を継続する。
【００１８】
このように、この例の赤外線通信装置によれば、二つの異なる変復調方式を有する赤外線通信装置において、同じ二つの異なる変復調方式の双方又はいずれかを有する通信相手との間で通信を行う場合に、予め、通信相手が二つの異なる変復調方式のうちのいずれの変復調方式で通信を行う状態になっているかが不明な場合でも、相手との間で通信可能な変復調方式を自動的に選択して通信を行うことができる。
【００１９】
◇第２実施例
図２は、この発明の第２実施例である赤外線通信装置の構成を示すブロック図である。
この例の赤外線通信装置は、図２に示すように、発光素子１と、受光素子２と、受光素子３と、変調制御部４と、復調制御部５と、変調制御部６２　，６３　，…，６Ｎ　と、復調制御部７２　，７３　，…，７Ｎ　と、切替制御部８Ａと、遮光構造部９とから概略構成されている。切替制御部８Ａは、切替素子８１　，８２　，８３　，８４　を有している。
これらのうち、発光素子１，受光素子２、受光素子３，変調制御部４，復調制御部５，遮光構造部９は、図１に示された第１実施例の場合と同様である。
【００２０】
変調制御部６２　，６３　，…，６Ｎ　は、送信信号によって、それぞれ第２，第３，…，第Ｎの変復調方式の送信データを生成する。復調制御部７２　，７３　，…，７Ｎ　は、受光信号によって、それぞれ第２，第３，…，第Ｎの変復調方式の受信データを生成する。切替制御部８Ａは、切替制御信号に応じて、切替素子８１　，８２　，８３　，８４　の切り替え状態を変更する制御を行う。
切替制御部８Ａにおいて、切替素子８１　は、変調制御部６２　，６３　，…，６Ｎからの送信データを切り替えて、切替素子８２　に出力する。切替素子８２　は、変調制御部４からの送信データと切替素子８１　からの送信データとを切り替えて、発光素子１に出力する。切替素子８３　は、受光素子２からの受信データと受光素子３からの受信データとを切り替えて、切替素子８４　に出力する。切替素子８４　は、切替素子８３　からの受信データを切り替えて、復調制御部７２　，７３　，…，７Ｎ　に出力する。
【００２１】
以下、図２を参照して、この例の赤外線通信装置の動作を説明する。
図２に示された赤外線通信装置において、変調制御部４と復調制御部５とは第１の通信パスを形成するための第１の同じ変復調方式を有している。また、変調制御部６２　，６３　，…，６Ｎ　と復調制御部７２　，７３　，…，７Ｎ　とは、それぞれの添字に対応して、第２，第３，…，第Ｎの通信パスを形成するための、第２，第３，…，第Ｎの同じ変復調方式を有している。赤外線通信装置は、第１乃至第Ｎの通信パスのいずれによっても通信可能なものとする。
切替制御部８Ａにおいては、最初、図示されない制御部からの切替制御信号によって、切替素子８２　，８３　が　”０”の状態になるように設定されている。
【００２２】
この設定状態では、変調制御部４で送信信号を変調して送信データ号に変換して、切替素子８２　を経て発光素子１に供給して赤外線信号を送出し、受光素子２で受光した受信データを復調制御部５で復調するとともに、受光素子３で受光した受信データを切替素子８４　を経て、いずれかの復調制御部７２　，７３　，…，７Ｎ　で復調する状態になっている。
この際、切替素子８４　は、切替制御信号に応じて、所定時間間隔で順次繰り返して、復調制御部７２　，７３　，…，７Ｎ　を選択するので、受光素子３からの受信データは、第２，第３，…，第Ｎの変復調方式で、順次繰り返して復調されている。
【００２３】
従って、最初、赤外線通信装置は、送信信号によって、通信しようとする相手との接続を行うための、第１の変復調方式の送信データを定期的に送信し、第１の変復調方式の受信データによる受信信号１によって、通信しようとする相手からの応答を待っているとともに、順次変化する第２，第３，…，第Ｎの変復調方式の受信データによって、受信信号２，３，…，Ｎによっても受信待ちをしている。
なお、この状態では、発光素子１からの赤外線信号は遮光構造部９で遮断されるので、発光素子１からの第１の変復調方式の赤外線信号が受光素子３に漏洩して、受信待ちしている第２，第３，…，第Ｎの変復調方式の赤外線信号と干渉するために、復調制御部７２　，７３　，…，７Ｎ　において、雑音等の妨害が発生する恐れはない。
このとき、受光素子２で受光した受信データによって、復調制御部５で通信しようとする相手からの受信信号１が得られたときは、図示されない制御部は、変調制御部４，復調制御部５と同じ第１の変復調方式を持つ、通信しようとする相手である赤外線通信装置が通信圏内に存在するものと認識して、以後、この設定状態で通信を継続する。
【００２４】
一方、この状態で、受信信号１は得られないが、受光素子３で受光した受信データによって、復調制御部７２　，７３　，…，７Ｎ　のいずれかで復調を行った結果、受信信号２，３，…，Ｎのいずれかがが得られたときは、図示されない制御部は、通信相手である赤外線通信装置が通信圏内に存在するが、設定状態とは異なる第２，第３，…，第Ｎのいずれかの変復調方式を持つ赤外線通信装置であることを認識して、切替制御信号によって、切替素子８２　，８３　が　”１”の状態になるように切り替えを行うとともに、復調制御部７２　，７３　，…，７Ｎ　のうちの、受信信号が得られたいずれかの復調制御部を継続して切替素子８３　に接続するように、切替制御信号によって切替素子８４　の切替状態を固定し、さらに受信信号が得られた復調制御部と同じ変復調方式を有する変調制御部を継続して切替素子８２　に接続するように、切替制御信号によって切替素子８１　の切替状態を固定する。
【００２５】
これによって、赤外線通信装置は、受信信号が得られたいずれかの復調制御部と同じ変復調方式の変調制御部で送信信号を送信データに変換して発光素子１に供給して赤外線信号を送出し、受光素子２で受光した受信データを同じ変復調方式の復調制御部で復調して受信信号を得る状態に設定が変更されて、以後、この設定状態で通信が継続される。
【００２６】
このように、この例の赤外線通信装置によれば、Ｎ個の異なる変復調方式を有する赤外線通信装置において、同じＮ個のの異なる変復調方式の全部又は一部を有する通信相手との間で通信を行う場合に、予め、通信相手がＮ個の異なる変復調方式のうちのいずれの変復調方式で通信を行う状態になっているかが不明な場合でも、相手との間で通信可能な変復調方式を自動的に選択して通信を行うことができる。
【００２７】
以上、この発明の実施例を図面により詳述してきたが、具体的な構成はこの実施例に限られたものではなく、この発明の要旨を逸脱しない範囲の設計の変更等があってもこの発明に含まれる。例えば、第１実施例又は第２実施例の場合に、切替制御部８又は８Ａにおいて、切り替えを行って選択可能なのは、変調制御部及び復調制御部における変復調方式が異なる場合に限らず、変復調方式は同じであっても、具体的な処理内容が異なるために、相互に通信不可能な通信パスを形成する赤外線通信装置の場合も含まれる。このような赤外線通信装置の例としては、例えば、符号分割変調方の場合における、スペクトラム拡散のための複数の異なる拡散符号形式を有する赤外線通信装置を挙げることができる。
【００２８】
【発明の効果】
以上、説明したのうよに、この発明の赤外線通信装置によれば、複数の異なる通信パスを有する赤外線通信装置において、同じ複数の異なる通信パスの全部又は一部を有する通信相手との間で通信を行う場合に、予め、通信相手が複数の異なる通信パスのうちのいずれの通信パスで通信を行う状態になっているのかが不明な場合でも、複数の異なる通信パスのうちの、相手との間で通信可能な通信パスを自動的に選択して通信を行うことができる。
【図面の簡単な説明】
【図１】本発明の第１実施例である赤外線通信装置の構成を示すブロック図である。
【図２】本発明の第２実施例である赤外線通信装置の構成を示すブロック図である。
【符号の説明】
１　　　発光素子（発光手段）
２　　　受光素子（受光手段）
３　　　受光素子（受光手段）
４　　　変調制御部（変調制御手段）
５　　　復調制御部（復調制御手段）
６２　，６３　，…，６Ｎ　　　　　変調制御部（変調制御手段）
７２　，７３　，…，７Ｎ　　　　　復調制御部（復調制御手段）
８，８Ａ　　　切替制御部
８ａ，８ｂ，８１　，　８２　，８３　，８４　　　　切替素子（切替手段）
【図１】
2004023116.tif 000003
【図２】
2004023116.tif 000004